(57)【特許請求の範囲】
【請求項１】
端末装置であって、前記装置は、
ユーザ端末UEがD2D通信を実行する必要がある場合、少なくとも1つのD2Dリソースを含むD2Dリソースプール内の利用可能なD2Dリソースの量を取得するように構成された取得部と、
前記利用可能なD2Dリソースの量が予め設定された閾値以下であるかどうかを判定するように構成された判定部と、
前記利用可能なD2Dリソースの量が前記予め設定された閾値以下である場合、基地局が応答情報に従って前記D2Dリソースプールを管理するように、前記基地局によってブロードキャストされた報告命令に応答して前記応答情報を返信するように構成された応答部と、
を備え、
前記予め設定された閾値は、第1の閾値および／または第2の閾値を含み、
前記応答部は、
前記利用可能なD2Dリソースの量が前記第1の閾値以下である場合、前記基地局によってブロードキャストされたオーバーフロー報告命令に応答し、第1の応答情報を返信するように構成された第1の応答サブユニットと、
前記利用可能なD2Dリソースの量が前記予め設定された第2の閾値未満である場合、前記基地局によってブロードキャストされた削減報告命令に応答し、第2の応答情報を返信するように構成された第2の応答サブユニットとを備え、
前記第1の応答情報の信号強度が第1の報告命令の信号強度に反比例し、
前記第2の応答情報の信号強度が前記削減報告命令の信号強度に反比例する、端末装置。
【請求項２】
前記取得部は、
信号強度が第3の閾値以下である、前記D2Dリソースプール内のすべてのD2Dリソースの量を計算するように構成された計算サブユニットを備える、請求項1に記載の端末装置。
【請求項３】
前記第1の応答サブユニットは、
前記基地局によってブロードキャストされた前記オーバーフロー報告命令を受信するように構成された第1の受信サブユニットと、
前記オーバーフロー報告命令に従って前記第1の応答情報を生成するように構成された第1の生成サブユニットと、
前記基地局によって割り当てられた報告リソースを使用して前記第1の応答情報を前記基地局に送信するように構成された第1の送信サブユニットと、
を備える、請求項1に記載の装置。
【請求項４】
前記第2の応答サブユニットは、
前記基地局によってブロードキャストされた前記削減報告命令を受信するように構成された第2の受信サブユニットと、
前記削減報告命令に従って前記第2の応答情報を生成するように構成された第2の生成部と、
報告リソースを用いて前記第2の応答情報を前記基地局に送信するように構成された第2の送信部と、
を備える、請求項1に記載の装置。
【請求項５】
D2Dリソース管理方法であって、前記方法は、
ユーザ端末UEがD2D通信を行う必要がある場合、前記UEによって、少なくとも1つのD2Dリソースを含むD2Dリソースプール内の利用可能なD2Dリソースの量を取得するステップと、
前記利用可能なD2Dリソースの量が予め設定された閾値以下であるかどうかを前記UEによって判定するステップと、
前記利用可能なD2Dリソースの量が前記予め設定された閾値以下である場合、基地局が応答情報に従って前記D2Dリソースプールを管理するように、前記基地局によってブロードキャストされた報告命令に前記UEによって応答して前記応答情報を返信するステップと、
を含み、
前記閾値は、第1の閾値および／または第2の閾値を含み、
前記利用可能なD2Dリソースの量が前記予め設定された閾値以下である場合、基地局によってブロードキャストされた報告命令に前記UEによって応答して、応答情報を返信する前記ステップは、
前記利用可能なD2Dリソースの量が前記第1の閾値以下である場合、前記基地局によってブロードキャストされたオーバーフロー報告命令に前記UEによって応答して第1の応答情報を返信するステップを含み、
前記利用可能なD2Dリソースの量が前記予め設定された閾値以下である場合、基地局によってブロードキャストされた報告命令に前記UEによって応答して、応答情報を返信する前記ステップは、
前記利用可能なD2Dリソースの量が前記予め設定された第2の閾値未満である場合、前記基地局によってブロードキャストされた削減報告命令に前記UEによって応答して第2の応答情報を返信するステップを含み、
前記第1の応答情報の信号強度がオーバーフロー報告命令の信号強度に反比例し、
前記第2の応答情報の信号強度が第2の報告命令の信号強度に反比例する、D2Dリソース管理方法。
【請求項６】
前記UEによって、少なくとも1つのD2Dリソースを含むD2Dリソースプール内の利用可能なD2Dリソースの量を取得する前記ステップは、
信号強度が第3の閾値以下である、前記D2Dリソースプール内のすべてのD2Dリソースの量を前記UEによって計算するステップを含む、請求項5に記載の方法。
【請求項７】
前記利用可能なD2Dリソースの量が前記予め設定された第1の閾値以下である場合、前記基地局によってブロードキャストされたオーバーフロー報告命令に前記UEによって応答して、第1の応答情報を返信する前記ステップは、
前記基地局によってブロードキャストされた前記オーバーフロー報告命令を前記UEによって受信するステップと、
前記オーバーフロー報告命令に従って、前記UEによって前記第1の応答情報を生成するステップと、
前記基地局によって割り当てられた報告リソースを用いて、前記UEによって前記第1の応答情報を前記基地局に送信するステップと、
を含む、請求項5に記載の方法。
【請求項８】
前記基地局によってブロードキャストされた削減報告命令に前記UEによって応答して、第2の応答情報を返信する前記ステップは、
前記基地局によってブロードキャストされた前記削減報告命令を前記UEによって受信するステップと、
前記削減報告命令に従って、前記第2の応答情報を前記UEによって生成するステップと、
報告リソースを使用して、前記第2の応答情報を前記UEによって前記基地局に送信するステップと、
を含む、請求項5に記載の方法。
【請求項９】
コンピュータ記憶媒体であって、
前記コンピュータ記憶媒体は、プログラムを格納することができ、前記プログラムが実行されると、請求項5から8のいずれか一項に記載のステップが実行される、コンピュータ記憶媒体。
【発明の詳細な説明】
【技術分野】
【０００１】
本発明は、通信技術の分野に関し、特に、端末装置およびD2Dリソース管理方法に関する。
【背景技術】
【０００２】
様々な新しい無線サービスが出現するにつれて、人々は、ますます高い通信速度を要求するようになっている。しかし、無線通信に適用できるリソースは極めて限られている。したがって、限られたリソースでは、ユーザの要求を満たすような十分に高いデータ通信速度を提供するために、リソース使用を改善することが非常に重要である。装置間（Device−to−Device、D2D）通信は、セルラネットワークに適用され、セルラセルリソースがシステム制御下で直接的な近距離通信に再利用される技術である。D2D技術をセルラネットワークに適用することによって、ローカルネットワークのスループットを効果的に向上させ、リソース使用を向上させることができる。
【０００３】
しかし、基地局が直接的な近距離通信を実行するためにセルラセルリソースを再利用する技術的プロセスにおいてリソースを効果的に使用するためには、基地局は、最適なリソース容量を効果的に割り当て、リソース節約およびリソース使用向上の結果を達成するために、いつでもD2Dリソース使用条件を習得しなければならない。
【０００４】
基地局がD2Dリソース使用状況を取得する既存のプロセスにおいて、接続状態にある端末装置は、基地局がD2Dリソース使用状況を動的に習得することができるように、取得したリソースの使用状況を報告する。しかし、端末装置は、接続状態でのみ基地局とのデータ伝送を行うことができる。したがって、緊急事態のために報告が必要な端末装置が多すぎると、上りリンクのネットワーク輻輳が発生し、正常な通信ができなくなる。
【発明の概要】
【０００５】
本発明の実施形態は、UE側によるD2Dリソース情報の送信の柔軟性を向上させるための端末装置およびD2Dリソース管理方法を提供する。
【課題を解決するための手段】
【０００６】
第1の態様によると、本発明の一実施形態は端末装置を提供し、該端末装置は、
ユーザ端末UEがD2D通信を実行する必要がある場合、少なくとも1つのD2Dリソースを含むD2Dリソースプール内の利用可能なD2Dリソースの量を取得するように構成された取得部と、
利用可能なD2Dリソースの量が予め設定された閾値以下であるかどうかを判定するように構成された判定部と、
利用可能なD2Dリソースの量が予め設定された閾値以下である場合、基地局が応答情報に従ってD2Dリソースプールを管理するように、基地局によってブロードキャストされた報告命令に応答して応答情報を返信するように構成された応答部と、
を含むことができる。
【０００７】
第1の態様を参照すると、第1の可能な実施態様において、取得部は、
信号強度が第3の閾値以下である、D2Dリソースプール内のすべてのD2Dリソースの量を計算するように構成された計算サブユニットを含む。
【０００８】
第1の態様、または第1の態様の第1の可能な実施態様を参照すると、第2の可能な実施態様において、閾値は、第1の閾値および／または第2の閾値を含む。
【０００９】
第1の態様の第2の可能な実施態様を参照すると、第3の可能な実施態様において、応答部は、
利用可能なD2Dリソースの量が第1の閾値以下である場合、基地局によってブロードキャストされたオーバーフロー報告命令に応答し、第1の応答情報を返信するように構成された第1の応答部を含む。
【００１０】
第1の態様の第3の可能な実施態様を参照すると、第4の可能な実施態様において、第1の応答サブユニットは、
基地局によってブロードキャストされたオーバーフロー報告命令を受信するように構成された第1の受信サブユニットと、
オーバーフロー報告命令に従って第1の応答情報を生成するように構成された第1の生成サブユニットと、
基地局によって割り当てられた報告リソースを使用して第1の応答情報を基地局に送信するように構成された第1の送信サブユニットと、
を含む。
【００１１】
第1の態様の第2の可能な実施態様から第1の態様の第4の可能な実施態様を参照すると、第5の可能な実施態様において、応答部は、
利用可能なD2Dリソースの量が予め設定された第2の閾値未満である場合、基地局によってブロードキャストされた削減報告命令に応答し、UEによって第2の応答情報を返信するように構成された第2の応答サブユニットをさらに含む。
【００１２】
第1の態様の第5の可能な実施態様を参照すると、第6の可能な実施態様において、第2の応答サブユニットは、
基地局によってブロードキャストされた削減報告命令を受信するように構成された第2の受信サブユニットと、
削減報告命令に従って第2の応答情報を生成するように構成された第2の生成部と、
報告リソースを用いて第2の応答情報を基地局に送信するように構成された第2の送信部と、
を含む。
【００１３】
第1の態様の第3の可能な実施態様から第1の態様の第6の可能な実施態様を参照すると、第7の可能な実施態様において、第1の応答情報の信号強度は、第1の報告命令の信号強度に反比例する。
【００１４】
第1の態様の第5の可能な実施態様から第1の態様の第7の可能な実施態様を参照すると、第8の可能な実施態様において、第2の応答情報の信号強度は、第2の報告命令の信号強度に反比例する。
【００１５】
第2の態様によれば、本発明の一実施形態は、D2Dリソース管理方法を提供し、該D2Dリソース管理方法は、
ユーザ端末UEがD2D通信を行う必要がある場合、UEによって、少なくとも1つのD2Dリソースを含むD2Dリソースプール内の利用可能なD2Dリソースの量を取得するステップと、
利用可能なD2Dリソースの量が予め設定された閾値以下であるかどうかをUEによって判定するステップと、
利用可能なD2Dリソースの量が予め設定された閾値以下である場合、基地局が応答情報に従ってD2Dリソースプールを管理するように、基地局によってブロードキャストされた報告命令にUEによって応答して応答情報を返信するステップと、
を含むことができる。
【００１６】
第2の態様を参照すると、第1の可能な実施態様において、少なくとも1つのD2Dリソースを含むD2Dリソースプール内の利用可能なD2Dリソースの量をUEによって取得するステップは、
信号強度が第3の閾値以下である、D2Dリソースプール内のすべてのD2Dリソースの量をUEによって計算するステップを含む。
【００１７】
第2の態様、または第2の態様の第1の可能な実施態様を参照すると、第2の可能な実施態様において、閾値は、第1の閾値および／または第2の閾値を含む。
【００１８】
第2の態様の第2の可能な実施態様を参照すると、第3の可能な実施態様において、利用可能なD2Dリソースの量が予め設定された閾値以下である場合、基地局によってブロードキャストされた報告命令にUEによって応答して応答情報を返信するステップは、
利用可能なD2Dリソースの量が第1の閾値以下である場合、基地局によってブロードキャストされたオーバーフロー報告命令にUEによって応答して第1の応答情報を返信するステップを含む。
【００１９】
第2の態様の第3の可能な実施態様を参照すると、第4の可能な実施態様において、利用可能なD2Dリソースの量が予め設定された第1の閾値以下である場合、基地局によってブロードキャストされた第1の報告命令にUEによって応答して第1の応答情報を返信するステップは、
基地局によってブロードキャストされたオーバーフロー報告命令をUEによって受信するステップと、
オーバーフロー報告命令に従って、UEによって第1の応答情報を生成するステップと、
基地局によって割り当てられた報告リソースを用いて、UEによって第1の応答情報を基地局に送信するステップと、
を含む。
【００２０】
第2の態様の第2の可能な実施態様から第2の態様の第4の可能な実施態様を参照すると、第5の可能な実施態様において、利用可能なD2Dリソースの量が予め設定された閾値以下である場合、基地局によってブロードキャストされた報告命令にUEによって応答して応答情報を返信するステップは、
利用可能なD2Dリソースの量が予め設定された第2の閾値未満である場合、基地局によってブロードキャストされた削減報告命令にUEによって応答して第2の応答情報を返信するステップを含む。
【００２１】
第2の態様の第5の可能な実施態様を参照すると、第6の可能な実施態様において、基地局によってブロードキャストされた削減報告命令にUEによって応答して第2の応答情報を返信するステップは、
基地局によってブロードキャストされた削減報告命令をUEによって受信するステップと、
削減報告命令に従って、第2の応答情報をUEによって生成するステップと、
報告リソースを使用して、第2の応答情報をUEによって基地局に送信するステップと、
を含む。
【００２２】
第2の態様の第3の可能な実施態様から第2の態様の第6の可能な実施態様を参照すると、第7の可能な実施態様において、第1の応答情報の信号強度は、第1の報告命令の信号強度に反比例する。
【００２３】
第2の態様の第5の可能な実施態様から第2の態様の第7の可能な実施態様を参照すると、第2の応答情報の信号強度は、第2の報告命令の信号強度に反比例する。
【００２４】
第4の態様によると、本発明の一実施形態は、コンピュータ記憶媒体を提供し、該コンピュータ記憶媒体はプログラムを記憶していてもよく、該プログラムが実行されると、請求項10から18のいずれか一項に記載のステップが実行される。
【００２５】
第4の態様によれば、本発明の一実施形態は端末装置を提供し、該端末装置は、
入力装置、出力装置、メモリ、およびプロセッサを含み、メモリは、プログラムコードのグループを記憶し、プロセッサは、メモリに記憶されたプログラムコードを呼び出して、
ユーザ端末UEがD2D通信を実行する必要がある場合、少なくとも1つのD2Dリソースを含むD2Dリソースプール内の利用可能なD2Dリソースの量を取得することと、
利用可能なD2Dリソースの量が予め設定された閾値以下であるかどうかを判定することと、
利用可能なD2Dリソースの量が予め設定された閾値以下である場合、基地局が応答情報に従ってD2Dリソースプールを管理するように、基地局によってブロードキャストされた報告命令に応答して、応答情報を返信するように出力装置を制御することと、
を実行するように構成されている。
【００２６】
第4の態様を参照すると、第1の可能な実施態様において、少なくとも1つのD2Dリソースを含むD2Dリソースプール内の利用可能なD2Dリソースの量をプロセッサが取得することは、
信号強度が第3の閾値以下である、D2Dリソースプール内のすべてのD2Dリソースの量を計算するステップを含む。
【００２７】
第4の態様、または第4の態様の第1の可能な実施態様を参照すると、第2の可能な実施態様において、閾値は第1の閾値および／または第2の閾値を含む。
【００２８】
第4の態様の第2の可能な実施態様を参照すると、第3の可能な実施態様において、利用可能なD2Dリソースの量が予め設定された閾値以下である場合、プロセッサが基地局によってブロードキャストされた報告命令に応答して応答情報を返信することは、
利用可能なD2Dリソースの量が第1の閾値以下である場合、基地局によってブロードキャストされたオーバーフロー報告命令に応答して、第1の応答情報を返信するように出力装置を制御するステップを含む。
【００２９】
第4の態様の第3の可能な実施態様を参照すると、第4の可能な実施態様において、利用可能なD2Dリソースの量が予め設定された第1の閾値以下である場合、プロセッサが基地局によってブロードキャストされた第1の報告命令に応答して、第1の応答情報を返信するように出力装置を制御することは、
基地局によってブロードキャストされたオーバーフロー報告命令を受信するように入力装置を制御するステップと、
オーバーフロー報告命令に従って第1の応答情報を生成するステップと、
基地局によって割り当てられた報告リソースを用いて、第1の応答情報を基地局に送信するように出力装置を制御するステップと、
を含む。
【００３０】
第4の態様の第2の可能な実施態様から第3の態様の第4の可能な実施態様を参照すると、第5の可能な実施態様において、利用可能なD2Dリソースの量が予め設定された閾値以下である場合、プロセッサが基地局によってブロードキャストされた報告命令に応答して、応答情報を返信するように出力装置を制御することは、
利用可能なD2Dリソースの量が予め設定された第2の閾値未満である場合、基地局によってブロードキャストされた削減報告命令に応答し、第2の応答情報を返信するように出力装置を制御するステップを含む。
【００３１】
第4の態様の第5の可能な実施態様を参照すると、第6の可能な実施態様において、プロセッサが基地局によってブロードキャストされた削減報告命令に応答し、第2の応答情報を返信するように出力装置を制御することは、
基地局によってブロードキャストされた削減報告命令を受信するように入力装置を制御するステップと、
削減報告命令に従って第2の応答情報を生成するステップと、
報告リソースを用いて第2の応答情報を基地局に送信するように出力装置を制御するステップと、
を含む。
【００３２】
第4の態様の第3の可能な実施態様から第6の可能な実施態様を参照すると、第7の可能な実施態様において、第1の応答情報の信号強度は、第1の報告命令の信号強度に反比例する。
【００３３】
第4の態様の第5の可能な実施態様から第7の可能な実施態様を参照すると、第8の可能な実施態様において、第2の応答情報の信号強度は、第2の報告命令の信号強度に反比例する。
【００３４】
以上のことから分かることとして、本発明の実施形態によれば、ユーザ端末UEがD2D通信を行う必要がある場合、UEは、少なくとも1つのD2Dリソースを含むD2Dリソースプール内の利用可能なD2Dリソースの量を取得し、利用可能なD2Dリソースの量が予め設定された閾値以下であるかどうかを判定し、利用可能なD2Dリソースの量が予め設定された閾値以下である場合、基地局が応答情報に従ってD2Dリソースプールを管理するように、基地局によってブロードキャストされた報告命令に応答して応答情報を返信する。したがって、ネットワーク輻輳を低減することができ、UE側でD2Dリソース情報を送信する柔軟性を向上させることができる。
【００３５】
本発明の実施形態または従来技術の技術的解決策をより明確に説明するために、以下に、実施形態を説明するために必要な添付図面を簡単に説明する。明らかに、以下の説明における添付図面は、本発明の一部の実施形態を示しているだけであり、当業者は創造的な努力なしに、これら添付図面から引き続き他の図面を導出することができる。
【図面の簡単な説明】
【００３６】
【図１】本発明に係る端末装置の一実施形態の構成図である。
【図２】本発明に係る端末装置の他の実施形態の構成図である。
【図３】本発明に係る端末装置のさらに他の実施形態の構成図である。
【図４】本発明に係るD2Dリソース管理方法の一実施形態のフローチャートである。
【図５】本発明に係るD2Dリソース管理方法の別の実施形態のフローチャートである。
【図６】本発明に係るD2Dリソース管理方法のさらに別の実施形態のフローチャートである。
【図７】本発明に係る端末装置のさらに他の実施形態の構成図である。
【発明を実施するための形態】
【００３７】
以下、本発明の実施形態における技術的解決策を、本発明の実施形態における添付図面を参照しながら、明確かつ完全に説明する。明らかに、記載された実施形態は、本発明のすべての実施形態ではなく単なる一部に過ぎない。創造的な努力なしに本発明の実施形態に基づいて当業者によって得られる他のすべての実施形態は、本発明の保護範囲内に入るものとする。
【００３８】
本発明の実施形態において、端末装置は、携帯電話、ノートブックコンピュータ、またはタブレットコンピュータなどのインテリジェントユーザ端末装置を含むことができる。
【００３９】
図1に示す端末装置の構成図を参照すると、本発明のこの実施形態に示す端末装置は、取得部100と、判定部200と、応答部300とを含む。
【００４０】
取得部100は、ユーザ端末UEがD2D通信を行う必要がある場合、少なくとも1つのD2Dリソースを含むD2Dリソースプール内の利用可能なD2Dリソースの量を取得するように構成されている。
【００４１】
本発明のこの実施形態では、D2D通信は、セルラネットワークに適用され、セルラセルリソースがシステム制御下で直接的な近距離通信のために再利用される技術である。D2D通信技術は、本来基地局が転送を行う通信方式を変更して、通信を行う必要があるUE（User Equipment、ユーザ機器）間の通信を直接的に行うものである。しかしながら、基地局は、干渉制御や課金などの機能を実現し、D2DユーザにD2Dリソースを割り当てるために、依然として一対のD2D  UEに制御情報を送信している状態であり、これによりD2D通信がライセンスされた周波数帯域で動作するようにする。このため、基地局によってデータを転送する必要はなく、UE間で直接データを伝送することで、基地局の通信負荷を軽減し、占有される通信リソースを削減することができる。
【００４２】
本発明のこの実施形態では、D2D通信を確立する場合、基地局は、UEがD2Dリソースを使用してデータを送信できるように、D2D通信を行うユーザ端末にD2Dリソースを割り当てるか、または基地局は、UEがD2Dリソースを使用してデータを送信できるように、D2D通信に必要なD2Dリソースを事前に定義することができる。特定の要件によれば、基地局は、ユーザ機器がリソースプール内の利用可能なD2Dリソースをランダムに検索してデータ送信を行うことができるように、少なくとも1つのD2Dリソースを含むD2Dリソースプールを、D2D通信を実行するUEに割り当てる。D2Dリソースは、スペクトルリソースであってもよい。
【００４３】
さらに、本発明のこの実施形態では、UEが他のUEとのD2D通信を行うデバイスを発見する必要がある場合、UEは、デバイスを発見するためにD2Dリソースを使用してD2D信号を送信する必要がある。したがって、UEがD2D信号を送信する前に、UEの取得部100は、まず、基地局によって割り当てられたD2Dリソースプール内の利用可能なD2Dリソースの量を取得する。利用可能なD2Dリソースは、干渉強度が低く通信に適したD2Dリソースであってもよい。本発明のこの実施形態では、利用可能なD2Dリソースは、その信号強度が第3の閾値未満のD2Dリソースであってもよい。したがって、UEは、信号強度が第3の閾値未満である、D2Dリソースプール内のD2Dリソースの量を取得する。第3の閾値は、技術者が設定した値であってもよい。
【００４４】
さらに、D2Dリソースの信号強度が第3の閾値より大きい場合、D2Dリソースの干渉強度は比較的高い場合があり、D2Dリソースは通信に適しておらず、または、さらに通信を行うと、D2Dリソースは通信データと干渉し、通信品質に影響を与える。したがって、D2Dリソースは、利用不可能なD2Dリソースと呼ばれることがある。
【００４５】
判定部200は、利用可能なD2Dリソースの量が予め設定された閾値以下であるかどうかを判定するように構成されている。
【００４６】
本発明のこの実施形態では、閾値は、第1の閾値および第2の閾値を含むことができる。第1の閾値は第2の閾値未満であってもよく、第1の閾値および第2の閾値は、技術者によって設定された値であってもよい。
【００４７】
応答部300は、利用可能なD2Dリソースの量が予め設定された閾値以下である場合、基地局が応答情報に従ってD2Dリソースプールを管理するように、基地局によってブロードキャストされた報告命令に応答して応答情報を返信するように構成されている。
【００４８】
本発明のこの実施形態では、基地局によってブロードキャストされる報告命令は、オーバーフロー報告命令および削減報告命令を含むことができる。UEによって取得された利用可能なD2Dリソースの量が第1の閾値以下である場合、UEは、自装置をオーバーフローUE、すなわち利用可能なD2Dリソースが十分にないUEであると判断することができる。オーバーフロー報告命令は、基地局によって定期的にブロードキャストされる命令であり、UEがオーバーフローUEである場合、オーバーフロー報告命令に応答するようにUEの応答部300に命令するために使用される。したがって、UEが自装置をオーバーフローUEであると判断することができ、基地局によってブロードキャストされたオーバーフロー報告命令を受信した場合、基地局が第1の応答情報に従ってD2Dリソースプールを管理するように、UEの応答部300は、オーバーフロー報告命令に応答して第1の応答情報を返信する。
【００４９】
さらに、UEによって取得された利用可能なD2Dリソースの量が第2の閾値以下である場合、UEは、自装置を、リソース削減を実行する必要のないUEであると判断することができる。削減報告命令は、基地局によって定期的にブロードキャストされる命令であり、UEがリソース削減を実行する必要のないUEである場合、削減報告命令に応答するようにUEの応答部300に命令するために使用される。したがって、UEが基地局によってブロードキャストされた削減報告命令を受信して、自装置をリソース削減を実行する必要のないUEであると判断できる場合、基地局が第2の応答情報に従ってD2Dリソースプールを管理するように、UEの応答部300は、削減報告命令に応答して第2の応答情報を返信する。
【００５０】
好ましくは、UEによって取得された利用可能なD2Dリソースの量が第1の閾値以下である場合、UEの応答部300は、オーバーフロー報告命令および削減報告命令に応答することができる。
【００５１】
本発明のこの実施形態では、本発明のこの実施形態によれば、ユーザ端末UEがD2D通信を行う必要がある場合、UEは、少なくとも1つのD2Dリソースを含むD2Dリソースプール内の利用可能なD2Dリソースの量を取得し、利用可能なD2Dリソースの量が予め設定された閾値以下であるかどうかを判定し、利用可能なD2Dリソースの量が予め設定された閾値以下である場合、基地局が応答情報に従ってD2Dリソースプールを管理するように、基地局によってブロードキャストされた報告命令に応答して応答情報を返信する。したがって、ネットワーク輻輳を低減することができ、UE側でD2Dリソース情報を送信する柔軟性を向上させることができる。
【００５２】
図2に示す端末装置の構成図を参照すると、本発明のこの実施形態に示す端末装置は、取得部100と、判定部200と、応答部300とを含む。
【００５３】
取得部100は、
信号強度が第3の閾値以下である、D2Dリソースプール内のすべてのD2Dリソースの量を計算するように構成された計算サブユニット10を含む。
【００５４】
応答部300は、
利用可能なD2Dリソースの量が第1の閾値以下である場合、基地局によってブロードキャストされたオーバーフロー報告命令に応答し、第1の応答情報を返信するように構成された第1の応答部20を含む。
【００５５】
本発明のこの実施形態では、UEによって取得された利用可能なD2Dリソースの量が第1の閾値以下である場合、UEは、自装置をオーバーフローUE、すなわち利用可能なD2Dリソースが十分にないUEであると判断することができる。オーバーフロー報告命令は、基地局によって定期的にブロードキャストされる命令であり、UEがオーバーフローUEである場合、オーバーフロー報告命令に応答するようにUEの第1の応答部20に命令するために使用される。したがって、UEが自装置をオーバーフローUEであると判断することができ、基地局によってブロードキャストされたオーバーフロー報告命令を受信した場合、基地局が第1の応答情報に従ってD2Dリソースプールを管理するように、UEの第1の応答部20は、オーバーフロー報告命令に応答して第1の応答情報を返信する。
【００５６】
具体的には、利用可能なD2Dリソースの量が第1の閾値以下である場合、UEは、自装置をオーバーフローUEであると判断することができ、基地局によってブロードキャストされたオーバーフロー報告命令を受信するのを待つ。UEが基地局によってブロードキャストされたオーバーフロー報告命令を受信した後、UEの第1の応答部20は、オーバーフロー報告命令に応答し、第1の応答情報を生成し、基地局に第1の応答情報を報告することができ、これにより基地局はオーバーフローUEが存在することを知り、さらにD2Dリソースプール内のD2Dリソース容量を調整することができる。自装置をオーバーフローUEと判断した後、UEが通信中の他のUEと干渉しないように、UEはD2D信号をそれ以上送信せず、基地局によってブロードキャストされたオーバーフロー報告命令を受信するのを待つ。さらに、基地局は、少なくとも1つの報告リソースを含む報告リソースプールをUEに予め割り当てることができる。第1の応答情報を報告する際、UEの第1の応答部20は、任意の報告リソースを使用することができる。報告リソースプールは、基地局によってUEに割り当てられ、情報を報告するために使用される報告リソースである。
【００５７】
具体的には、第1の応答情報の信号強度は、オーバーフロー報告命令の信号強度に反比例する場合があるので、基地局は、受信した第1の応答情報の信号強度に従って、UEによって使用される報告リソースの信号強度を解析することができる。特定の解析プロセスにおいて、オーバーフロー報告命令の信号強度をa、信号減衰係数をk、ランダム報告リソースの信号強度をbとすることができる。したがって、UEが受信するオーバーフロー報告命令の信号強度はa＊kであり、UEの第1の応答部20によって返信される第1の応答情報の信号強度はb／（a＊k）であり、基地局が受信する第1の応答情報の信号強度は、b／（a＊k）＊k＝b／aである。基地局によって送信されるオーバーフロー報告命令の信号強度はaであるので、基地局は、UEによって使用される報告リソースの信号強度がbであることを知ることができる。報告リソースの信号強度は、報告リソースを使用して報告を行うUEの数に関連する。したがって、より多くのUEが報告リソースを使用して第1の応答情報を返信すると、報告リソースの信号強度がより強くなることが理解される。したがって、基地局は、受信された少なくとも1つの報告リソースの信号強度に従って、第1の応答情報を返信するUEの数をカウントして分析することができる。より多くのUEの第1の応答部20が報告リソースを使用して第1の応答情報を返信すると、D2Dリソースプール内のD2Dリソースはより逼迫する。したがって、基地局は、D2Dリソースプール内のD2Dリソースの使用規模条件を学習し、D2Dリソースプールをさらに管理したり、D2Dリソースを適切に割り当てるための基準として統計結果を使用する。
【００５８】
任意選択的に、利用可能なD2Dリソースの量が第1の閾値より大きい場合、UEの第1の応答部20は、受信されたオーバーフロー報告命令に応答しなくてもよい。
【００５９】
さらに、UEの利用可能なD2Dリソースの量が第1の閾値より大きい場合、UEは、D2D信号を送信するために任意の利用可能なD2Dリソースを使用して、デバイスを発見し、デバイスとのD2D通信を確立することができる。
【００６０】
また、第1の応答部20は、第1の受信サブユニット30と、第1の生成サブユニット40と、第1の送信サブユニット50とを含む。
【００６１】
第1の受信サブユニット30は、基地局によってブロードキャストされたオーバーフロー報告命令を受信するように構成されている。
【００６２】
本発明のこの実施形態では、第1の受信サブユニット30によって受信されたオーバーフロー報告命令は、基地局によって定期的にブロードキャストされる命令であり、UEがオーバーフローUEである場合、オーバーフロー報告命令に応答するようにUEに命令するために使用される。
【００６３】
第1の生成サブユニット40は、オーバーフロー報告命令に従って第1の応答情報を生成するように構成されている。
【００６４】
本発明のこの実施形態では、第1の受信サブユニット30が基地局によってブロードキャストされたオーバーフロー報告命令を受信した後、第1の生成サブユニット40は、UEが第1の応答情報を基地局に報告するように、その命令に応答して第1の応答情報を生成することができ、したがって、基地局はオーバーフローUEが存在することを知り、D2Dリソースプール内のD2Dリソース容量を調整することができる。さらに、基地局は、少なくとも1つの報告リソースを予めUEに割り当てることができ、第1の生成サブユニット40は、報告リソースに従って第1の応答情報を生成することができる。
【００６５】
具体的には、第1の応答情報の信号強度は、オーバーフロー報告命令の信号強度に反比例する場合があるので、基地局は、受信した第1の応答情報の信号強度に従って、UEによって使用される報告リソースの信号強度を解析することができる。特定の解析プロセスにおいて、オーバーフロー報告命令の信号強度をa、信号減衰係数をk、報告リソースの信号強度をbとすることができる。したがって、UEが受信するオーバーフロー報告命令の信号強度はa＊kであり、UEの第1の生成サブユニット40によって生成される第1の応答情報の信号強度はb／（a＊k）であり、基地局が受信する第1の応答情報の信号強度はb／（a＊k）＊k＝b／aである。基地局によって送信されるオーバーフロー報告命令の信号強度はaであるので、基地局は、UEによって使用される報告リソースの信号強度がbであることを知ることができる。
【００６６】
第1の送信サブユニット50は、基地局によって割り当てられた報告リソースを使用して第1の応答情報を基地局に送信するように構成されている。
【００６７】
本発明のこの実施形態では、第1の送信サブユニット50は、基地局によって割り当てられた報告リソースを使用して報告を行うことができる。基地局は、少なくとも1つの報告リソースを含む報告リソースプールを、UEの第1の送信サブユニット50に予め割り当てることができる。第1の応答情報を報告する際、UEの第1の送信サブユニット50は、任意の報告リソースを使用することができる。報告リソースプールは、基地局によってUEに割り当てられ、情報を報告するために使用される報告リソースである。
【００６８】
本発明のこの実施形態では、本発明のこの実施形態によれば、ユーザ端末UEがD2D通信を行う必要がある場合、UEは、少なくとも1つのD2Dリソースを含むD2Dリソースプール内の利用可能なD2Dリソースの量を取得し、利用可能なD2Dリソースの量が予め設定された閾値以下であるかどうかを判定し、利用可能なD2Dリソースの量が予め設定された閾値以下である場合、基地局が応答情報に従ってD2Dリソースプールを管理するように、基地局によってブロードキャストされた報告命令に応答して応答情報を返信する。したがって、ネットワーク輻輳を低減することができ、UE側でD2Dリソース情報を送信する柔軟性を向上させることができる。
【００６９】
図3に示す端末装置の構成図を参照すると、本発明のこの実施形態に示す端末装置は、取得部100と、判定部200と、応答部300とを含む。
【００７０】
応答部300は、第2の応答部60と、第2の受信サブユニット70と、第2の生成部80と、第2の送信部90とを含む。
【００７１】
第2の応答部60は、利用可能なD2Dリソースの量が予め設定された第2の閾値未満である場合、基地局によってブロードキャストされた削減報告命令に応答し、第2の応答情報を返信するように構成されている。
【００７２】
本発明のこの実施形態では、UEによって取得された利用可能なD2Dリソースの量が第2の閾値以下である場合、UEは、自装置を、リソース削減を実行する必要のないUEであると判断することができる。削減報告命令は、基地局によって定期的にブロードキャストされる命令であり、UEがリソース削減を実行する必要のないUEである場合、削減報告命令に応答するようにUEの第2の応答部60に命令するために使用される。したがって、UEが基地局によってブロードキャストされた削減報告命令を受信して、自装置をリソース削減を実行する必要のないUEであると判断できる場合、基地局が第2の応答情報に従ってD2Dリソースプールを管理するように、UEの第2の応答部60は、削減報告命令に応答して第2の応答情報を返信する。
【００７３】
具体的には、利用可能なD2Dリソースの量が第2の閾値以下である場合、UEは、自装置をリソース削減を実行する必要のないUEであると判定することができ、基地局によってブロードキャストされた削減報告命令を受信するのを待つ。UEが基地局によってブロードキャストされた削減報告命令を受信した後、UEの第2の応答部60は、削減報告命令に応答し、第2の応答情報を生成し、第2の応答情報を基地局に報告することができ、これにより基地局は、D2Dリソースプール内のD2Dリソースを削減する必要がないという情報を取得する。さらに、第2の応答情報を報告する場合、UEの第2の応答部60は、基地局によって割り当てられた報告リソースプール内の任意の報告リソースを使用することができる。好ましくは、第2の応答情報の信号強度は、削減報告命令の信号強度に反比例する場合があるので、基地局は、受信した第2の応答情報の信号強度に従って、UEによって使用される報告リソースを解析することができる例えば、削減報告命令の信号強度をa、信号減衰係数をk、ランダム報告リソースの信号強度をbとする。したがって、UEが受信する削減報告命令の信号強度はa＊kであり、UEの第2の応答部60によって返信される第2の応答情報の信号強度はb／（a＊k）であり、基地局が受信する第2の応答情報の信号強度は、b／（a＊k）＊k＝b／aである。基地局によって送信される削減報告命令の信号強度はaであるので、基地局は、UEによって使用される報告リソースの信号強度がbであることを知ることができる。報告リソースの信号強度は、報告リソースを使用して報告を行うUEの数に関連する。より多くのUEの第2の応答部60が報告リソースを使用して第2の応答情報を返信すると、報告リソースの信号強度はより強くなることが理解される。したがって、基地局は、受信された少なくとも1つの報告リソースの信号強度に従って、第2の応答情報を返信するUEの数をカウントして分析することができる。より多くのUEが報告リソースを使用して第2の応答情報を返信すると、D2Dリソースプール内のD2Dリソースはより逼迫し、削減を実行する必要はなくなる。したがって、基地局は、D2Dリソースプール内のD2Dリソースの使用規模条件を学習し、D2Dリソースプールをさらに管理したり、D2Dリソースを適切に割り当てる
か削減するための基準として統計結果を使用する。
【００７４】
さらに、利用可能なD2Dリソースの量が第2の閾値より大きい場合、UEは、受信された削減報告命令に応答しなくてもよい。
【００７５】
第2の受信サブユニット70は、基地局によってブロードキャストされた削減報告命令を受信するように構成されている。
【００７６】
本発明のこの実施形態では、第2の受信サブユニット70によって受信された削減報告命令は、基地局によって定期的にブロードキャストされる命令であり、UEがリソース削減を実行する必要のないUEである場合、削減報告命令に応答するようにUEに命令するために使用される。
【００７７】
第2の生成部80は、削減報告命令に従って第2の応答情報を生成するように構成されている。
【００７８】
UEが基地局によってブロードキャストされた削減報告命令を受信した後、UEの第2の生成部80は、UEが第2の応答情報を基地局に報告するように、削減報告命令に応答して第2の応答情報を生成することができ、これにより基地局は、D2Dリソースプール内のD2Dリソースを削減する必要がないという情報を取得する。さらに、第2の生成サブユニット80は、第2の応答情報を生成する際、予め基地局によってUEに割り当てられた少なくとも1つの報告リソースを使用することができる。
【００７９】
好ましくは、第2の応答情報の信号強度は、削減報告命令の信号強度に反比例する場合があるので、基地局は、受信した第2の応答情報の信号強度に従って、UEによって使用される報告リソースを解析することができる。例えば、削減報告命令の信号強度をa、信号減衰係数をk、ランダム報告リソースの信号強度をbとする。したがって、UEが受信する削減報告命令の信号強度はa＊kであり、UEの第2の生成部80によって生成される第2の応答情報の信号強度はb／（a＊k）であり、基地局が受信する第2の応答情報の信号強度は、b／（a＊k）＊k＝b／aである。基地局によって送信される削減報告命令の信号強度はaであるので、基地局は、UEによって使用される報告リソースの信号強度がbであることを知ることができる。
【００８０】
第2の送信部90は、報告リソースを用いて第2の応答情報を基地局に送信するように構成されている。
【００８１】
本発明のこの実施形態では、第2の送信部90は、基地局によって割り当てられた報告リソースを用いて報告を行うことができる。基地局は、少なくとも1つの報告リソースを含む報告リソースプールをUEの第2の送信部90に予め割り当てることができる。第2の応答情報を報告する際、UEの第2の送信部90は、任意の報告リソースを使用することができる。報告リソースプールは、基地局によってUEに割り当てられ、情報を報告するために使用される報告リソースである。
【００８２】
本発明のこの実施形態では、本発明のこの実施形態によれば、ユーザ端末UEがD2D通信を行う必要がある場合、UEは、少なくとも1つのD2Dリソースを含むD2Dリソースプール内の利用可能なD2Dリソースの量を取得し、利用可能なD2Dリソースの量が予め設定された閾値以下であるかどうかを判定し、利用可能なD2Dリソースの量が予め設定された閾値以下である場合、基地局が応答情報に従ってD2Dリソースプールを管理するように、基地局によってブロードキャストされた報告命令に応答して応答情報を返信する。したがって、ネットワーク輻輳を低減することができ、UE側でD2Dリソース情報を送信する柔軟性を向上させることができる。
【００８３】
本発明の実施形態において前述の解決策をより良く実施するために、前述の解決策を協働して実施するために使用される関連ステップが以下でさらに提供される。
【００８４】
図4に示すD2Dリソース管理方法の概略的なフローチャートを参照すると、本発明のこの実施形態に示すD2Dリソース管理方法は、以下のステップを含む。
【００８５】
S100．ユーザ端末UEがD2D通信を実行する必要がある場合、UEは、少なくとも1つのD2Dリソースを含むD2Dリソースプール内の利用可能なD2Dリソースの量を取得する。
【００８６】
本発明のこの実施形態では、D2D通信は、セルラネットワークに適用され、セルラセルリソースがシステム制御下で直接的な近距離通信のために再利用される技術である。D2D通信技術は、本来基地局が転送を行う通信方式を変更して、通信を行う必要があるUE（User Equipment、ユーザ機器）間の通信を直接的に行うものである。しかしながら、基地局は、干渉制御や課金などの機能を実現し、D2DユーザにD2Dリソースを割り当てるために、依然として一対のD2D  UEに制御情報を送信している状態であり、これによりD2D通信がライセンスされた周波数帯域で動作するようにする。このため、基地局によってデータを転送する必要はなく、UE間で直接データを伝送することで、基地局の通信負荷を軽減し、占有される通信リソースを削減することができる。
【００８７】
本発明のこの実施形態では、D2D通信を確立する場合、基地局は、UEがD2Dリソースを使用してデータを送信できるように、D2D通信を行うユーザ端末にD2Dリソースを割り当てるか、または基地局は、UEがD2Dリソースを使用してデータを送信できるように、D2D通信に必要なD2Dリソースを事前に定義することができる。特定の要件によれば、基地局は、ユーザ機器がリソースプール内の利用可能なD2Dリソースをランダムに検索してデータ送信を行うことができるように、少なくとも1つのD2Dリソースを含むD2Dリソースプールを、D2D通信を実行するUEに割り当てる。D2Dリソースは、スペクトルリソースであってもよい。
【００８８】
さらに、本発明のこの実施形態では、UEが他のUEとのD2D通信を行うデバイスを発見する必要がある場合、UEは、デバイスを発見するためにD2Dリソースを使用してD2D信号を送信する必要がある。したがって、UEがD2D信号を送信する前に、UEは、まず、基地局によって割り当てられたD2Dリソースプール内の利用可能なD2Dリソースの量を取得する。利用可能なD2Dリソースは、干渉強度が低く通信に適したD2Dリソースであってもよい。本発明のこの実施形態では、利用可能なD2Dリソースは、その信号強度が第3の閾値未満のD2Dリソースであってもよい。したがって、UEは、信号強度が第3の閾値未満である、D2Dリソースプール内のD2Dリソースの量を取得する。第3の閾値は、技術者が設定した値であってもよい。
【００８９】
さらに、D2Dリソースの信号強度が第3の閾値より大きい場合、D2Dリソースの干渉強度は比較的高い場合があり、D2Dリソースは通信に適しておらず、または、さらに通信を行うと、D2Dリソースは通信データと干渉し、通信品質に影響を与える。したがって、D2Dリソースは、利用不可能なD2Dリソースと呼ばれることがある。
【００９０】
S101．UEは、利用可能なD2Dリソースの量が予め設定された閾値以下であるかどうかを判定する。
【００９１】
本発明のこの実施形態では、閾値は、第1の閾値および第2の閾値を含むことができる。第1の閾値は第2の閾値未満であってもよく、第1の閾値および第2の閾値は、技術者によって設定された値であってもよい。
【００９２】
S102．利用可能なD2Dリソースの量が予め設定された閾値以下である場合、UEは、基地局が応答情報に従ってD2Dリソースプールを管理するように、基地局によってブロードキャストされた報告命令に応答して応答情報を返信する。
【００９３】
本発明のこの実施形態では、基地局によってブロードキャストされる報告命令は、オーバーフロー報告命令および削減報告命令を含むことができる。UEによって取得された利用可能なD2Dリソースの量が第1の閾値以下である場合、UEは、自装置をオーバーフローUE、すなわち利用可能なD2Dリソースが十分にないUEであると判断することができる。オーバーフロー報告命令は、基地局によって定期的にブロードキャストされる命令であり、UEがオーバーフローUEである場合、オーバーフロー報告命令に応答するようにUEに命令するために使用される。したがって、UEが自装置をオーバーフローUEであると判断することができ、基地局によってブロードキャストされたオーバーフロー報告命令を受信した場合、基地局が第1の応答情報に従ってD2Dリソースプールを管理するように、UEは、オーバーフロー報告命令に応答して第1の応答情報を返信する。
【００９４】
さらに、UEによって取得された利用可能なD2Dリソースの量が第2の閾値以下である場合、UEは、自装置を、リソース削減を実行する必要のないUEであると判断することができる。削減報告命令は、基地局によって定期的にブロードキャストされる命令であり、UEがリソース削減を実行する必要のないUEである場合、削減報告命令に応答するようにUEに命令するために使用される。したがって、UEが自装置をリソース削減を実行する必要のないUEであると判断することができ、基地局によってブロードキャストされた削減報告命令を受信した場合、基地局が第2の応答情報に従ってD2Dリソースプールを管理するように、UEは、削減報告命令に応答して第2の応答情報を返信する。
【００９５】
好ましくは、UEによって取得された利用可能なD2Dリソースの量が第1の閾値以下である場合、UEは、オーバーフロー報告命令および削減報告命令に応答することができる。
【００９６】
本発明のこの実施形態では、本発明のこの実施形態によれば、ユーザ端末UEがD2D通信を行う必要がある場合、UEは、少なくとも1つのD2Dリソースを含むD2Dリソースプール内の利用可能なD2Dリソースの量を取得し、利用可能なD2Dリソースの量が予め設定された閾値以下であるかどうかを判定し、利用可能なD2Dリソースの量が予め設定された閾値以下である場合、基地局が応答情報に従ってD2Dリソースプールを管理するように、基地局によってブロードキャストされた報告命令に応答して応答情報を返信する。したがって、ネットワーク輻輳を低減することができ、UE側でD2Dリソース情報を送信する柔軟性を向上させることができる。
【００９７】
図5に示すD2Dリソース管理方法の概略的なフローチャートを参照すると、本発明のこの実施形態に示すD2Dリソース管理方法は、以下のステップを含む。
【００９８】
S200．ユーザ端末UEがD2D通信を実行する必要がある場合、UEは、少なくとも1つのD2Dリソースを含むD2Dリソースプール内の利用可能なD2Dリソースの量を取得する。
【００９９】
S201．UEは、利用可能なD2Dリソースの量が予め設定された閾値以下であるかどうかを判断し、ここで、閾値は第1の閾値および／または第2の閾値を含む。
【０１００】
S202．利用可能なD2Dリソースの量が第1の閾値以下である場合、UEは、基地局によってブロードキャストされたオーバーフロー報告命令に応答し、第1の応答情報を返信する。
【０１０１】
本発明のこの実施形態では、UEによって取得された利用可能なD2Dリソースの量が第1の閾値以下である場合、UEは、自装置をオーバーフローUE、すなわち利用可能なD2Dリソースが十分にないUEであると判断することができる。オーバーフロー報告命令は、基地局によって定期的にブロードキャストされる命令であり、UEがオーバーフローUEである場合、オーバーフロー報告命令に応答するようにUEに命令するために使用される。したがって、UEが自装置をオーバーフローUEであると判断することができ、基地局によってブロードキャストされたオーバーフロー報告命令を受信した場合、基地局が第1の応答情報に従ってD2Dリソースプールを管理するように、UEは、オーバーフロー報告命令に応答して第1の応答情報を返信する。
【０１０２】
具体的には、利用可能なD2Dリソースの量が第1の閾値以下である場合、UEは、自装置をオーバーフローUEであると判断することができ、基地局によってブロードキャストされたオーバーフロー報告命令を受信するのを待つ。基地局によってブロードキャストされたオーバーフロー報告命令を受信した後、UEは、オーバーフロー報告命令に応答し、第1の応答情報を生成し、基地局に第1の応答情報を報告することができ、これにより基地局はオーバーフローUEが存在することを知り、さらにD2Dリソースプール内のD2Dリソース容量を調整することができる。自装置をオーバーフローUEと判断した後、UEが通信中の他のUEと干渉しないように、UEはD2D信号をそれ以上送信せず、基地局によってブロードキャストされたオーバーフロー報告命令を受信するのを待つ。さらに、基地局は、少なくとも1つの報告リソースを含む報告リソースプールをUEに予め割り当てることができる。第1の応答情報を報告する際、UEは、任意の報告リソースを使用することができる。報告リソースプールは、基地局によってUEに割り当てられ、情報を報告するために使用される報告リソースである。
【０１０３】
具体的には、第1の応答情報の信号強度は、オーバーフロー報告命令の信号強度に反比例する場合があるので、基地局は、受信した第1の応答情報の信号強度に従って、UEによって使用される報告リソースの信号強度を解析することができる。特定の解析プロセスにおいて、オーバーフロー報告命令の信号強度をa、信号減衰係数をk、ランダム報告リソースの信号強度をbとすることができる。したがって、UEが受信するオーバーフロー報告命令の信号強度はa＊kであり、UEによって返信される第1の応答情報の信号強度はb／（a＊k）であり、基地局が受信する第1の応答情報の信号強度は、b／（a＊k）＊k＝b／aである。基地局によって送信されるオーバーフロー報告命令の信号強度はaであるので、基地局は、UEによって使用される報告リソースの信号強度がbであることを知ることができる。報告リソースの信号強度は、報告リソースを使用して報告を行うUEの数に関連する。したがって、より多くのUEが報告リソースを使用して第1の応答情報を返信すると、報告リソースの信号強度がより強くなることが理解される。したがって、基地局は、受信された少なくとも1つの報告リソースの信号強度に従って、第1の応答情報を返信するUEの数をカウントして分析することができる。より多くのUEが報告リソースを使用して第1の応答情報を返信すると、D2Dリソースプール内のD2Dリソースはより逼迫する。したがって、基地局は、D2Dリソースプール内のD2Dリソースの使用規模条件を学習し、D2Dリソースプールをさらに管理したり、D2Dリソースを適切に割り当てるための基準として統計結果を使用する。
【０１０４】
任意選択的に、利用可能なD2Dリソースの量が第1の閾値より大きい場合、UEは、受信されたオーバーフロー報告命令に応答しなくてもよい。
【０１０５】
さらに、UEの利用可能なD2Dリソースの量が第1の閾値より大きい場合、UEは、D2D信号を送信するために任意の利用可能なD2Dリソースを使用して、デバイスを発見し、デバイスとのD2D通信を確立することができる。
【０１０６】
本発明のこの実施形態におけるステップS200およびステップS201については、上記実施形態におけるステップS100およびステップS101を参照することとし、詳細はここでは説明しない。
【０１０７】
本発明のこの実施形態では、本発明のこの実施形態によれば、ユーザ端末UEがD2D通信を行う必要がある場合、UEは、少なくとも1つのD2Dリソースを含むD2Dリソースプール内の利用可能なD2Dリソースの量を取得し、利用可能なD2Dリソースの量が予め設定された閾値以下であるかどうかを判定し、利用可能なD2Dリソースの量が予め設定された閾値以下である場合、基地局が応答情報に従ってD2Dリソースプールを管理するように、基地局によってブロードキャストされた報告命令に応答して応答情報を返信する。したがって、ネットワーク輻輳を低減することができ、UE側でD2Dリソース情報を送信する柔軟性を向上させることができる。
【０１０８】
図6に示すD2Dリソース管理方法の概略的なフローチャートを参照すると、本発明のこの実施形態に示すD2Dリソース管理方法は、以下のステップを含む。
【０１０９】
S300．ユーザ端末UEがD2D通信を実行する必要がある場合、UEは、少なくとも1つのD2Dリソースを含むD2Dリソースプール内の利用可能なD2Dリソースの量を取得する。
【０１１０】
S301．UEは、利用可能なD2Dリソースの量が予め設定された閾値以下であるかどうかを判断し、ここで、閾値は第1の閾値および／または第2の閾値を含む。
【０１１１】
S302．利用可能なD2Dリソースの量が予め設定された第2の閾値未満である場合、UEは、基地局によってブロードキャストされた削減報告命令に応答し、第2の応答情報を返信する。
【０１１２】
本発明のこの実施形態では、UEによって取得された利用可能なD2Dリソースの量が第2の閾値以下である場合、UEは、自装置を、リソース削減を実行する必要のないUEであると判断することができる。削減報告命令は、基地局によって定期的にブロードキャストされる命令であり、UEがリソース削減を実行する必要のないUEである場合、削減報告命令に応答するようにUEに命令するために使用される。したがって、UEが自装置をリソース削減を実行する必要のないUEであると判断することができ、基地局によってブロードキャストされた削減報告命令を受信した場合、基地局が第2の応答情報に従ってD2Dリソースプールを管理するように、UEは、削減報告命令に応答して第2の応答情報を返信する。
【０１１３】
具体的には、利用可能なD2Dリソースの量が第2の閾値以下である場合、UEは、自装置をリソース削減を実行する必要のないUEであると判定することができ、基地局によってブロードキャストされた削減報告命令を受信するのを待つ。基地局によってブロードキャストされた削減報告命令を受信した後、UEは、削減報告命令に応答し、第2の応答情報を生成し、第2の応答情報を基地局に報告することができ、これにより基地局は、D2Dリソースプール内のD2Dリソースを削減する必要がないという情報を取得する。さらに、第2の応答情報を報告する際、UEは、基地局によってUEに割り当てられた報告リソースプール内の任意の報告リソースを使用することができる。好ましくは、第2の応答情報の信号強度は、削減報告命令の信号強度に反比例する場合があるので、基地局は、受信した第2の応答情報の信号強度に従って、UEによって使用される報告リソースを解析することができる例えば、削減報告命令の信号強度をa、信号減衰係数をk、ランダム報告リソースの信号強度をbとする。したがって、UEが受信する削減報告命令の信号強度はa＊kであり、UEによって返信される第2の応答情報の信号強度はb／（a＊k）であり、基地局が受信する第2の応答情報の信号強度は、b／（a＊k）＊k＝b／aである。基地局によって送信される削減報告命令の信号強度はaであるので、基地局は、UEによって使用される報告リソースの信号強度がbであることを知ることができる。報告リソースの信号強度は、報告リソースを使用して報告を行うUEの数に関連する。より多くのUEが報告リソースを使用して第2の応答情報を返信すると、報告リソースの信号強度がより強くなることが理解される。したがって、基地局は、受信された少なくとも1つの報告リソースの信号強度に従って、第2の応答情報を返信するUEの数をカウントして分析することができる。より多くのUEが報告リソースを使用して第2の応答情報を返信すると、D2Dリソースプール内のD2Dリソースはより逼迫し、削減を実行する必要はなくなる。したがって、基地局は、D2Dリソースプール内のD2Dリソースの使用規模条件を学習し、D2Dリソースプールをさらに管理したり、D2Dリソースを適切に割り当てるか削減するための基準として統計結果を使用する。
【０１１４】
さらに、利用可能なD2Dリソースの量が第2の閾値より大きい場合、UEは、受信された削減報告命令に応答しなくてもよい。
【０１１５】
本発明のこの実施形態におけるステップS300およびステップS301については、上記実施形態におけるステップS100およびステップS101を参照することとし、詳細はここでは説明しない。
【０１１６】
本発明のこの実施形態では、本発明のこの実施形態によれば、ユーザ端末UEがD2D通信を行う必要がある場合、UEは、少なくとも1つのD2Dリソースを含むD2Dリソースプール内の利用可能なD2Dリソースの量を取得し、利用可能なD2Dリソースの量が予め設定された閾値以下であるかどうかを判定し、利用可能なD2Dリソースの量が予め設定された閾値以下である場合、基地局が応答情報に従ってD2Dリソースプールを管理するように、基地局によってブロードキャストされた報告命令に応答して応答情報を返信する。したがって、ネットワーク輻輳を低減することができ、UE側でD2Dリソース情報を送信する柔軟性を向上させることができる。
【０１１７】
図7を参照すると、本発明の一実施形態は、端末装置をさらに提供し、該端末装置は、
プロセッサ201（装置内には1つ以上のプロセッサ201があってもよく、図7では、例として1つのプロセッサが使用されている）、メモリ202、出力装置203、および入力装置204を含むことができる。本発明のこの実施形態では、プロセッサ201、メモリ202、出力装置203、および入力装置204は、バスを用いて接続されていてもよいし、別の方法で接続されていてもよい。図7では、一例としてバス接続が用いられている。
【０１１８】
プロセッサ201は、以下のステップ、
ユーザ端末UEがD2D通信を実行する必要がある場合、少なくとも1つのD2Dリソースを含むD2Dリソースプール内の利用可能なD2Dリソースの量を取得することと、
利用可能なD2Dリソースの量が予め設定された閾値以下であるかどうかを判定することと、
利用可能なD2Dリソースの量が予め設定された閾値以下である場合、基地局が応答情報に従ってD2Dリソースプールを管理するように、基地局によってブロードキャストされた報告命令に応答して、応答情報を返信するように出力装置203を制御することと、を実行する。
【０１１９】
プロセッサ201が、少なくとも1つのD2Dリソースを含むD2Dリソースプール内の利用可能なD2Dリソースの量を取得することは、
信号強度が第3の閾値以下である、D2Dリソースプール内のすべてのD2Dリソースの量を計算するステップを含む。
【０１２０】
閾値は、第1の閾値および／または第2の閾値を含む。
【０１２１】
利用可能なD2Dリソースの量が予め設定された閾値以下である場合、プロセッサ201が基地局によってブロードキャストされた報告命令に応答して応答情報を返信することは、
利用可能なD2Dリソースの量が第1の閾値以下である場合、基地局によってブロードキャストされたオーバーフロー報告命令に応答して、第1の応答情報を返信するように出力装置203を制御するステップを含む。
【０１２２】
利用可能なD2Dリソースの量が予め設定された第1の閾値以下である場合、プロセッサ201が基地局によってブロードキャストされた第1の報告命令に応答し、第1の応答情報を返信するように出力装置203を制御することは、
基地局によってブロードキャストされたオーバーフロー報告命令を受信するように入力装置204を制御するステップと、
オーバーフロー報告命令に従って第1の応答情報を生成するステップと、
基地局によって割り当てられた報告リソースを用いて、第1の応答情報を基地局に送信するように出力装置203を制御するステップと、を含む。
【０１２３】
利用可能なD2Dリソースの量が予め設定された閾値以下である場合、プロセッサ201が基地局によってブロードキャストされた報告命令に応答し、応答情報を返信するように出力装置203を制御することは、
利用可能なD2Dリソースの量が予め設定された第2の閾値未満である場合、基地局によってブロードキャストされた削減報告命令に応答し、第2の応答情報を返信するように出力装置203を制御するステップを含む。
【０１２４】
プロセッサ201が基地局によってブロードキャストされた削減報告命令に応答し、第2の応答情報を返信するように出力装置203を制御することは、
基地局によってブロードキャストされた削減報告命令を受信するように入力装置204を制御するステップと、
削減報告命令に従って第2の応答情報を生成するステップと、
報告リソースを用いて第2の応答情報を基地局に送信するように出力装置203を制御するステップと、を含む。
【０１２５】
第1の応答情報の信号強度は、第1の報告命令の信号強度に反比例する。
【０１２６】
第2の応答情報の信号強度は、第2の報告命令の信号強度に反比例する。
【０１２７】
以上のことから分かることとして、本発明のこの実施形態によれば、ユーザ端末UEがD2D通信を行う必要がある場合、UEは、少なくとも1つのD2Dリソースを含むD2Dリソースプール内の利用可能なD2Dリソースの量を取得し、利用可能なD2Dリソースの量が予め設定された閾値以下であるかどうかを判定し、利用可能なD2Dリソースの量が予め設定された閾値以下である場合、基地局が応答情報に従ってD2Dリソースプールを管理するように、基地局によってブロードキャストされた報告命令に応答して応答情報を返信する。したがって、ネットワーク輻輳を低減することができ、UE側でD2Dリソース情報を送信する柔軟性を向上させることができる。
【０１２８】
なお、簡単な説明のために、前述の方法の実施形態は、一連の動作として表される。しかしながら、本発明によれば、一部のステップが他の順序で、または同時に実行され得るので、本発明は記述された動作順序に限定されないことを当業者は理解すべきである。
【０１２９】
本明細書に記載された実施形態はすべて例示的な実施形態に属し、関連する動作およびモジュールは本発明によって必ずしも必要とされないことを、当業者はさらに理解すべきである。
【０１３０】
上述した実施形態では、各実施形態の説明にそれぞれ重点を置いている。一実施形態において詳細に記載されていない部分については、他の実施形態における関連説明を参照することができる。
【０１３１】
結論的に、本発明の実施形態では、本発明の実施形態によれば、ユーザ端末UEがD2D通信を行う必要がある場合、UEは、少なくとも1つのD2Dリソースを含むD2Dリソースプール内の利用可能なD2Dリソースの量を取得し、利用可能なD2Dリソースの量が予め設定された閾値以下であるかどうかを判定し、利用可能なD2Dリソースの量が予め設定された閾値以下である場合、基地局が応答情報に従ってD2Dリソースプールを管理するように、基地局によってブロードキャストされた報告命令に応答して応答情報を返信する。したがって、ネットワーク輻輳を低減することができ、UE側でD2Dリソース情報を送信する柔軟性を向上させることができる。
【０１３２】
当業者は、実施形態における方法のプロセスのすべてまたは一部が、関連するハードウェアに命令するコンピュータプログラムによって実施され得ることを理解することができる。プログラムは、コンピュータ可読記憶媒体に格納されてもよい。プログラムが実行されると、実施形態における方法のプロセスが実行される。記憶媒体は、磁気ディスク、光ディスク、読み出し専用メモリ（Read−Only Memory、ROM）、またはランダムアクセスメモリ（Random Access Memory、RAM）を含むことができる。
【０１３３】
以上に開示した説明は、本発明の例示的な実施形態に過ぎず、本発明の特許請求の範囲を限定することを意図するものではない。したがって、本発明の特許請求の範囲に従う均等な変形例は、本発明の範囲内に含まれるものとする。
【符号の説明】
【０１３４】
10  計算サブユニット
20  第1の応答部
30  第1の受信サブユニット
40  第1の生成サブユニット
50  第1の送信サブユニット
60  第2の応答部
70  第2の受信サブユニット
80  第2の生成サブユニット
90  第2の送信部
100  取得部
200  判定部
201  プロセッサ
202  メモリ
203  出力装置
204  入力装置
300  応答部
UE  ユーザ端末
【図１】
0006449921.tif 000002
【図２】
0006449921.tif 000003
【図３】
0006449921.tif 000004
【図４】
0006449921.tif 000005
【図５】
0006449921.tif 000006
【図６】
0006449921.tif 000007
【図７】
0006449921.tif 000008